(57)【要約】【課題】  ケーブルの収納スペースを充分に確保できると共に、バンドを簡単な操作で円滑に安定して係止片に対してケーブルを包囲して締結固定し得るケーブル固定用バンド向け筐体構造を提供すること。【解決手段】  このケーブル固定用バンド向け筐体構造では、筐体１１におけるケーブルを締結固定するための係止片１１ｃを有する固定面Ｍ１の局部を係止片１１ｃ近傍で段差ｈ１を成して外方へ突出するようにそれぞれ傾斜部を含む差し込み領域部１１ａ，引き出し領域部１１ｂとして膨らませ、係止片１１ｃを固定面Ｍ１と合致させてケーブル収納部２内へ突出しない構造とし、且つ固定面Ｍ１の局部（下面）と係止片１１ｃ（上面）との段差の隙間で形成される開口部１７における突出度の低い差し込み領域部１１ａ側から突出度の高い引き出し領域部１１ｂ側へとバンド１の本体部分の先端を案内して挿入できる構造としている。【選択図】    図１
2008153490.tif 000002
【特許請求の範囲】
【請求項１】
内部にケーブルを収納するためのケーブル収納部を有すると共に、該ケーブルの配線時に用いられるバンドを締結固定するための係止片が形成された固定面を有し、更に、前記係止片が前記固定面から内方へ凹んで段差を成すように形成され、且つ該固定面と該係止片との段差の隙間が前記バンドの端部を挿入するための開口部として形成された筐体構造において、前記固定面は、前記開口部に向かって段差を成して外方へ突出した形状の局部を有し、前記開口部は、前記固定面の局部と前記係止片との段差の隙間により形成され、前記係止片は、前記固定面における前記局部周囲の平坦な基準面と合致する位置に形成されたことを特徴とするケーブル固定用バンド向け筐体構造。
【請求項２】
請求項１記載のケーブル固定用バンド向け筐体構造において、前記固定面における前記局部は、前記開口部に向かって次第に大きく突出するように傾斜された一対の傾斜部を有しており、前記固定面は、前記開口部を挟んでそれぞれ前記一対の傾斜部の何れか一つを含む一方側の部分，他方側の部分として区別され、且つ該一方側の部分における頂部が該他方側の部分における頂部よりも大きく突出していることを特徴とするケーブル固定用バンド向け筐体構造。
【請求項３】
請求項２記載のケーブル固定用バンド向け筐体構造において、前記一方側の部分及び前記他方側の部分における前記頂部は、それぞれ前記一対の傾斜部の何れか一つから前記開口部へと繋がる部分が前記基準面と平行して段差を成す平坦面として形成されたことを特徴とするケーブル固定用バンド向け筐体構造。
【請求項４】
請求項２又は３記載のケーブル固定用バンド向け筐体構造において、前記一方側の部分は、前記バンドの引き出し側に位置される引き出し領域部であり、前記他方側の部分は、前記バンドの差し込み側に位置される差し込み領域部であることを特徴とするケーブル固定用バンド向け筐体構造。
【請求項５】
請求項４記載のケーブル固定用バンド向け筐体構造において、前記差し込み領域部における前記局部の先端部分の内側には、内方へ突出して前記バンドの前記開口部への差し込み時に該バンドの表面に接触される突出部が形成されたことを特徴とするケーブル固定用バンド向け筐体構造。
【請求項６】
請求項５記載のケーブル固定用バンド向け筐体構造において、前記突出部は、前記バンドの締結固定時に該バンドの突出した巻き込み挿入固定部の局部に当接されることを特徴とするケーブル固定用バンド向け筐体構造。
【請求項７】
請求項４〜６の何れか一つに記載のケーブル固定用バンド向け筐体構造において、前記引き出し領域部及び前記差し込み領域部は、前記固定面における切り欠き加工及び曲げ加工を経た前記開口部の形成後に曲げ加工を経て一体的に形成されるか、或いは前記引き出し領域部及び前記差し込み領域部と前記突出部とは、前記固定面における切り欠き加工及び曲げ加工を経た前記開口部の形成後にそれぞれ曲げ加工と潰し加工とを経て一体的に形成されたことを特徴とするケーブル固定用バンド向け筐体構造。
【発明の詳細な説明】
【技術分野】
【０００１】
本発明は、主として各種分野の機器作製に際して筐体内でのケーブル（電線）配線時に用いられるバンドを締結固定するための係止片が形成された固定面を有する筐体構造であって、詳しくはケーブルの収納スペースを確保してバンドを効率良く適確に締結固定し得るケーブル固定用バンド向け筐体構造に関する。
【背景技術】
【０００２】
従来、ケーブル固定用バンド向け筐体構造では、筐体の局部を加工する手法によるものが一般的である。
【０００３】
図３は、従来のケーブル固定用バンド向け筐体構造の一形態（文献公知に係る発明でないが、一般的に採用されている周知な構造のもの）を示した断面側面図であり、同図（ａ）は締結初期操作段階に関するもの，同図（ｂ）は締結中期操作段階に関するものである。
【０００４】
このケーブル固定用バンド向け筐体構造は、筐体１２として、内部に図示されないケーブルを収納するためのケーブル収納部３を有すると共に、ケーブルの配線時に用いられるバンド１を締結固定するための係止片１２ｃが形成された固定面Ｍ２を背面又は底面等に有する。又、固定面Ｍ２には、バンド１の差し込み用となる差し込み用開口部１４とバンド１の引き出し用となる引き出し用開口部１５とが切り欠き加工や穿孔加工により形成され、それらの間の略中央に存在する部分が係止片１２ｃとして形成されている。更に、差し込み用開口部１４，引き出し用開口部１５，及び係止片１２ｃは、何れも固定面Ｍ２と同一な平面上に形成されており、固定面Ｍ２における係止片１２ｃの中心から差し込み用開口部１４側の端部までの略半分（紙面上では右側半分）が差し込み領域部１２ａとなっており、同様に固定面Ｍ２における係止片１２ｃの中心から引き出し用開口部１５側の端部までの略半分（紙面上では左側半分）が引き出し領域部１２ｂとなっている。
【０００５】
このケーブル固定用バンド向け筐体構造によってケーブルの配線時にバンド１を締結固定する場合、先ず図３（ａ）の締結初期操作段階を参照すれば、突出した巻き込み挿入固定部１ａを有するバンド１の本体部分の先端を差し込み用開口部１４へ差し込んで一度固定面Ｍ２から外方へ引き出す。
【０００６】
次に、図３（ｂ）の締結中期操作段階を参照すれば、その先端からやや隔たった局部を撓ませて曲げるようにした上で引き出し用開口部１５へ先端を再度差し込み、ケーブル収納部３内にバンド１の先端部分が引き出されるようにする。この後は、所定数のケーブルをバンド１で巻き、バンド１の先端部分を巻き込み挿入固定部１ａの挿入口を通して係止片１２ｃとの間で各ケーブルを包囲して締結固定するようにしてからバンド１の余剰部分を切除する。尚、バンド１の締結固定及び締結固定後の余剰部分の切除は周知のバンド用工具等を用いて行うものである。
【０００７】
図４は、従来のケーブル固定用バンド向け筐体構造の他形態（これも文献公知に係る発明でないが、一般的に採用されている周知な構造のもの）を締結中期操作段階で示した断面側面図である。
【０００８】
このケーブル固定用バンド向け筐体構造においても、筐体１３として、内部に図示されないケーブルを収納するためのケーブル収納部４を有すると共に、ケーブルの配線時に用いられるバンド１を締結固定するための係止片１３ｃが形成された固定面Ｍ３を背面又は底面等に有するものであるが、ここでは係止片１３ｃが固定面Ｍ３から内方へ凹んで段差を成すように切り欠き加工及び曲げ加工を経て形成され、且つ固定面Ｍ３と係止片１３ｃとの段差の隙間がバンド１の先端部分を挿入するための開口部１６として形成された構造となっている。又、ここでの係止片１３ｃは、その下面が固定面Ｍ３から段差ｈ２を持つ異なる平坦面として形成されている。更に、紙面上で固定面Ｍ３における開口部１６（係止片１３ｃ）の中心から右側半分の端部までが差し込み領域部１３ａとなっており、同様に紙面上で固定面Ｍ３における開口部１６（係止片１３ｃ）の中心から左側半分の端部までが引き出し領域部１３ｂとなっている。
【０００９】
このケーブル固定用バンド向け筐体構造によってケーブルの配線時にバンド１を締結固定する場合、図４に示される締結中期操作段階を参照すれば、予め突出した巻き込み挿入固定部１ａを有するバンド１の先端からやや隔たった局部を撓ませて曲げることにより固定面Ｍ３と平行に延在する部分を形成しておき、そのバンド１の本体部分の先端を開口部１６の差し込み領域部１３ａ側から差し込むと共に、引き出し領域部１３ｂ側から引き出してケーブル収納部４内にバンド１の先端部分が引き出されるようにする。この後は、先の構造の場合と同様であり、所定数のケーブルをバンド１で巻き、バンド１の先端部分を巻き込み挿入固定部１ａの挿入口を通して係止片１３ｃとの間で各ケーブルを包囲して締結固定するようにしてからバンド１の余剰部分を切除する。ここでも、バンド１の締結固定及び締結固定後の余剰部分の切除は周知のバンド用工具等を用いて行うものである。
【発明の開示】
【発明が解決しようとする課題】
【００１０】
上述した図３（ａ），（ｂ）に示すケーブル固定用バンド向け筐体構造の場合、バンドの本体部分の先端を差し込み用開口部へ差し込んで一度固定面から外方へ引き出した後、引き出し用開口部へ再度差し込むためにその先端からやや隔たった局部を撓ませて曲げる手作業による操作が必要であるため、この手作業の操作に手間がかかって実際のケーブル締結固定に至るまでの作業性が悪くなってしまうという問題がある。
【００１１】
又、図４に示すケーブル固定用バンド向け筐体構造の場合も、同様に予めバンドを開口部へ差し込むためにその先端からやや隔たった局部を撓ませて曲げる手作業による操作が必要であって、その手作業の操作に手間がかかってケーブル締結固定に至るまでの作業性が悪くなってしまうという問題がある他、バンドを締結固定するための係止片が固定面から内方へ凹んで相当な段差を持つようにケーブル収納部内へ突出して存在するため、この係止片が構造上においてケーブル収納部のスペースを狭くしてしまうという問題がある。
【００１２】
本発明は、このような問題点を解決すべくなされたもので、その技術的課題は、ケーブルの収納スペースを充分に確保できると共に、バンドを簡単な操作で円滑に安定性良く係止片に対してケーブルを包囲して締結固定し得るケーブル固定用バンド向け筐体構造を提供することにある。
【課題を解決するための手段】
【００１３】
本発明によれば、内部にケーブルを収納するためのケーブル収納部を有すると共に、該ケーブルの配線時に用いられるバンドを締結固定するための係止片が形成された固定面を有し、更に、係止片が固定面から内方へ凹んで段差を成すように形成され、且つ該固定面と該係止片との段差の隙間がバンドの端部を挿入するための開口部として形成された筐体構造において、固定面は、開口部に向かって段差を成して外方へ突出した形状の局部を有し、開口部は、固定面の局部と係止片との段差の隙間により形成され、係止片は、固定面における局部周囲の平坦な基準面と合致する位置に形成されたケーブル固定用バンド向け筐体構造が得られる。
【００１４】
又、本発明によれば、上記ケーブル固定用バンド向け筐体構造において、固定面における局部は、開口部に向かって次第に大きく突出するように傾斜された一対の傾斜部を有しており、固定面は、開口部を挟んでそれぞれ一対の傾斜部の何れか一つを含む一方側の部分，他方側の部分として区別され、且つ該一方側の部分における頂部が該他方側の部分における頂部よりも大きく突出しているケーブル固定用バンド向け筐体構造が得られる。
【００１５】
更に、本発明によれば、上記ケーブル固定用バンド向け筐体構造において、一方側の部分及び他方側の部分における頂部は、それぞれ一対の傾斜部の何れか一つから開口部へと繋がる部分が基準面と平行して段差を成す平坦面として形成されたケーブル固定用バンド向け筐体構造が得られる。
【００１６】
加えて、本発明によれば、上記何れかのケーブル固定用バンド向け筐体構造において、一方側の部分は、バンドの引き出し側に位置される引き出し領域部であり、他方側の部分は、バンドの差し込み側に位置される差し込み領域部であるケーブル固定用バンド向け筐体構造が得られる。
【００１７】
一方、本発明によれば、上記ケーブル固定用バンド向け筐体構造において、差し込み領域部における局部の先端部分の内側には、内方へ突出してバンドの開口部への差し込み時に該バンドの表面に接触される突出部が形成されたケーブル固定用バンド向け筐体構造が得られる。
【００１８】
他方、本発明によれば、上記ケーブル固定用バンド向け筐体構造において、突出部は、バンドの締結固定時に該バンドの突出した巻き込み挿入固定部の局部に当接されるケーブル固定用バンド向け筐体構造が得られる。
【００１９】
又、本発明によれば、上記何れか一つのケーブル固定用バンド向け筐体構造において、引き出し領域部及び差し込み領域部は、固定面における切り欠き加工及び曲げ加工を経た開口部の形成後に曲げ加工を経て一体的に形成されるか、或いは引き出し領域部及び差し込み領域部と突出部とは、固定面における切り欠き加工及び曲げ加工を経た開口部の形成後にそれぞれ曲げ加工と潰し加工とを経て一体的に形成されたケーブル固定用バンド向け筐体構造が得られる。
【発明の効果】
【００２０】
本発明のケーブル固定用バンド向け筐体構造の場合、筐体におけるケーブルを締結固定するための係止片を有する固定面の局部を係止片近傍で段差を成して外方へ突出するように膨らませると共に、係止片を固定面と合致させてケーブル収納部内へ突出しない構造とし、且つ固定面の局部と係止片との段差の隙間で形成される開口部における突出度の低い差し込み領域部側から突出度の高い引き出し領域部側へとバンドの本体部分の先端を案内して挿入できる構造としているため、ケーブルの収納スペースを充分に確保できると共に、バンドの先端からやや隔たった局部を撓ませて曲げる手作業による操作が不要となり、バンドを簡単な操作で安定性良く円滑に係止片に対して所定数のケーブルを包囲して締結固定することができ、結果として作業性が顕著に向上するようになる。
【発明を実施するための最良の形態】
【００２１】
本発明の最良の形態に係るケーブル固定用バンド向け筐体構造は、内部にケーブルを収納するためのケーブル収納部を有すると共に、ケーブルの配線時に用いられるバンドを締結固定するための係止片が形成された固定面を有し、更に、係止片が固定面から内方へ凹んで段差を成すように形成され、且つ固定面と係止片との段差の隙間がバンドの端部を挿入するための開口部として形成されたものにおいて、固定面については、開口部に向かって段差を成して外方へ突出した形状の局部を有し、開口部については、固定面の局部と係止片との段差の隙間により形成され、係止片については、固定面における局部周囲の平坦な基準面と合致する位置に形成されたものである。
【００２２】
但し、このケーブル固定用バンド向け筐体構造の場合、固定面における局部については、開口部に向かって次第に大きく突出するように傾斜された一対の傾斜部を有しており、固定面は、開口部を挟んでそれぞれ一対の傾斜部の何れか一つを含む一方側の部分，他方側の部分として区別され、且つ一方側の部分における頂部が他方側の部分における頂部よりも大きく突出していることが好ましく、更に一方側の部分及び他方側の部分における頂部については、それぞれ一対の傾斜部の何れか一つから開口部へと繋がる部分が基準面と平行して段差を成す平坦面として形成されたことが好ましい。又、何れのケーブル固定用バンド向け筐体構造においても、一方側の部分がバンドの引き出し側に位置される引き出し領域部であり、他方側の部分がバンドの差し込み側に位置される差し込み領域部であることは好ましい。更に、ここでの差し込み領域部における局部の先端部分の内側には、内方へ突出してバンドの開口部への差し込み時にバンドの表面に接触される突出部が形成されたことは好ましい。加えて、このケーブル固定用バンド向け筐体構造において、突出部については、バンドの締結固定時にバンドの突出した巻き込み挿入固定部の局部に当接されることが好ましい。
【００２３】
何れのケーブル固定用バンド向け筐体構造においても、引き出し領域部及び差し込み領域部については、固定面における切り欠き加工及び曲げ加工を経た開口部の形成後に曲げ加工を経て一体的に形成されること、或いは引き出し領域部及び差し込み領域部と突出部とについては、固定面における切り欠き加工及び曲げ加工を経た開口部の形成後にそれぞれ曲げ加工と潰し加工とを経て一体的に形成されたことがそれぞれ好ましい。
【００２４】
以下は、本発明のケーブル固定用バンド向け筐体構造について、幾つかの実施例を挙げ、図面を参照して具体的に説明する。
【実施例１】
【００２５】
図１は、本発明の実施例１に係るケーブル固定用バンド向け筐体構造の基本構成を締結中途操作段階で示した断面側面図である。
【００２６】
この実施例１に係るケーブル固定用バンド向け筐体構造の場合、筐体１１として、内部に図示されないケーブルを収納するためのケーブル収納部２を有すると共に、ケーブルの配線時に用いられるバンド１を締結固定するための係止片１１ｃが形成された固定面Ｍ１を背面又は底面等に有する点は、従来構造と共通しているが、ここでの固定面Ｍ１は、開口部１７に向かって段差を成して外方へ突出した形状の局部を有するものとなっており、固定面Ｍ１の局部と係止片１１ｃとの段差の隙間がバンド１の先端部分を挿入するための開口部１７として形成され、係止片１１ｃについては、固定面Ｍ１の頂部から内方へ凹んで段差を成すように切り欠き加工及び曲げ加工を経て固定面Ｍ１における局部周囲の平坦な基準面と合致する位置に形成されている。その他、ここでも紙面上で固定面Ｍ１における開口部１７（係止片１１ｃ）の中心から右側半分の端部までが差し込み領域部１１ａとなっており、同様に紙面上で固定面Ｍ１における開口部１７（係止片１１ｃ）の中心から左側半分の端部までが引き出し領域部１１ｂとなっている。
【００２７】
このケーブル固定用バンド向け筐体構造における細部を具体的に説明すれば、固定面Ｍ１における局部については、開口部１７に向かって次第に大きく突出するようにテーパ状に傾斜された一対の傾斜部を有し、固定面Ｍ１（全体）については、開口部１７を挟んでそれぞれ一対の傾斜部の何れか一つを含む一方側の部分である引き出し領域部１１ｂ，他方側の部分である差し込み領域部１１ａとして区別され、且つ引き出し領域部１１ｂにおける頂部が差し込み領域部１１ａにおける頂部よりも大きく突出している。又、バンド１の引き出し側に位置される引き出し領域部１１ｂ、並びにバンド１の差し込み側に位置される差し込み領域部１１ａにおける頂部については、それぞれ一対の傾斜部の何れか一つから開口部１７へと繋がる部分が固定面Ｍ１における局部周囲の平坦な基準面と平行して段差ｈ１（それぞれの下面の比較で示す）を成す平坦面として形成されている。尚、これらの差し込み領域部１１ａ及び引き出し領域部１１ｂは、固定面Ｍ１における切り欠き加工及び曲げ加工を経た開口部の形成後に曲げ加工を経て一体的に形成されたものである。
【００２８】
この実施例１に係るケーブル固定用バンド向け筐体構造の場合、筐体１１におけるケーブルを締結固定するための係止片１１ｃを有する固定面Ｍ１の局部を係止片１１ｃ近傍で段差を成して外方へ突出するようにそれぞれ傾斜部を含む差し込み領域部１１ａ，引き出し領域部１１ｂとして膨らませると共に、係止片１１ｃを固定面Ｍ１と合致させてケーブル収納部２内へ突出しない構造とし、且つ固定面Ｍ１の局部（下面）と係止片１１ｃ（上面）との段差の隙間で形成される開口部１７における突出度の低い差し込み領域部１１ａ側から突出度の高い引き出し領域部１１ｂ側へとバンド１の本体部分の先端を案内して挿入できる構造としている。
【００２９】
このため、図３（ａ），（ｂ）や図４で説明した従来構造の場合のようにバンド１の先端からやや隔たった局部を撓ませて曲げる手作業による操作が不要となり、その後の所定数のケーブルをバンド１で巻き、バンド１の先端部分を巻き込み挿入固定部１ａの挿入口を通して係止片１１ｃとの間で各ケーブルを包囲して締結固定するようにしてからバンド１の余剰部分を切除する（ここでも、バンド１の締結固定及び締結固定後の余剰部分の切除は周知のバンド用工具等を用いて行うものである）までの作業に際して、ケーブルの収納スペースを充分に確保できると共に、バンド１を簡単な操作で安定性良く円滑に係止片１１ｃに対して各ケーブルを包囲して締結固定し得るようになる。
【実施例２】
【００３０】
図２は、本発明の実施例２に係るケーブル固定用バンド向け筐体構造の基本構成を締結中途操作段階で示した断面側面図である。
【００３１】
この実施例２に係るケーブル固定用バンド向け筐体構造の場合、実施例１の構造のものと比べ、筐体１１′として、差し込み領域部１１ａ′における局部の先端部分の内側（固定面Ｍ１における頂部平坦面の下面箇所を示す）に対し、内方へ突出してバンド１の開口部１７への差し込み時にバンド１の表面に接触される突出部１８が形成され、この突出部１８がバンド１の締結固定時にバンド１の突出した巻き込み挿入固定部１ａの局部に当接されるようにした点のみが相違しており、その他の部分は同じ構造となっている。尚、ここでの差し込み領域部１１ａ′及び引き出し領域部１１ｂと突出部１８とは、固定面Ｍ１における切り欠き加工及び曲げ加工を経た開口部１７の形成後にそれぞれ曲げ加工と潰し加工とを経て一体的に形成されたものである。
【００３２】
この実施例２に係るケーブル固定用バンド向け筐体構造では、バンド１を係止片１１ｃに対して各ケーブルを包囲して締結固定する際、実施例１の構造では筐体１１の材質や厚さにより差し込み領域部１１ａの局部の頂部下面が撓み変形してしまうと、バンド１の巻き込み挿入固定部１ａが開口部１７から外方へ抜け出てしまう危険性を伴うが、こうしたトラブルを突出部１８に対する巻き込み挿入固定部１ａの当接により対策したもので、この構造では一層安定して適確な締結固定が可能となる。
【図面の簡単な説明】
【００３３】
【図１】本発明の実施例１に係るケーブル固定用バンド向け筐体構造の基本構成を締結中途操作段階で示した断面側面図である。
【図２】本発明の実施例２に係るケーブル固定用バンド向け筐体構造の基本構成を締結中途操作段階で示した断面側面図である。
【図３】従来のケーブル固定用バンド向け筐体構造の一形態を示した断面側面図であり、（ａ）は締結初期操作段階に関するもの，（ｂ）は締結中期操作段階に関するものである。
【図４】従来のケーブル固定用バンド向け筐体構造の他形態を締結中期操作段階で示した断面側面図である。
【符号の説明】
【００３４】
１  バンド
１ａ  巻き込み挿入固定部
２，３，４  ケーブル収納部
１１，１１′，１２，１３  筐体
１１ａ，１１ａ′，１２ａ，１３ａ  差し込み領域部
１１ｂ，１２ｂ，１３ｂ  引き出し領域部
１１ｃ，１２ｃ，１３ｃ  係止片
１４  差し込み用開口部
１５  引き出し用開口部
１６，１７  開口部
１８  突出部
【図１】
2008153490.tif 000003
【図２】
2008153490.tif 000004
【図３】
2008153490.tif 000005
【図４】
2008153490.tif 000006